(57)【要約】【課題】本発明は、増幅器の温度の測定値が増幅器の温度より低い場合であっても、増幅器の発熱を効果的に抑制することを目的とする。【解決手段】本発明は、増幅器２１の温度の測定値の情報を取得する増幅器温度情報取得部１１と、増幅器温度情報取得部１１が取得した情報における増幅器２１の温度の測定値が、増幅器２１の温度より低いとき、増幅器温度情報取得部１１が取得した情報における増幅器２１の温度の測定値を、増幅器２１の温度の方向に補正する増幅器温度補正部１２と、増幅器温度補正部１２が補正した増幅器２１の温度の測定値の情報に基づいて、増幅器２１のバイアス電圧を設定する増幅器バイアス電圧設定部１３と、を備える増幅器制御装置１である。【選択図】図１
2014017624.tif 000002
【特許請求の範囲】
【請求項１】
増幅器の温度の測定値の情報を取得する増幅器温度情報取得部と、
前記増幅器温度情報取得部が取得した情報における前記増幅器の温度の測定値が、前記増幅器の温度より低いとき、前記増幅器温度情報取得部が取得した情報における前記増幅器の温度の測定値を、前記増幅器の温度の方向に補正する増幅器温度補正部と、
前記増幅器温度補正部が補正した前記増幅器の温度の測定値の情報に基づいて、前記増幅器のバイアス電圧を設定する増幅器バイアス電圧設定部と、
を備えることを特徴とする増幅器制御装置。
【請求項２】
前記増幅器温度情報取得部が取得した情報における前記増幅器の温度の測定値は、複数の前記増幅器のうち一の前記増幅器の温度より低く、かつ、複数の前記増幅器のうち一の前記増幅器の温度より他の前記増幅器の温度に近く、
前記増幅器温度補正部は、前記増幅器温度情報取得部が取得した情報における一の前記増幅器の温度の測定値を、一の前記増幅器の温度の方向に補正する
ことを特徴とする請求項１に記載の増幅器制御装置。
【請求項３】
前記増幅器温度情報取得部が取得した情報における前記増幅器の温度の測定値は、前記増幅器の発熱量が所定の発熱量より大きいにも関わらず、前記増幅器の温度の測定値が前記増幅器の温度に追随しないため、前記増幅器の温度より低く、
前記増幅器温度補正部は、前記増幅器の発熱量が前記所定の発熱量を超えた超過量に基づいて、前記増幅器温度情報取得部が取得した情報における前記増幅器の温度の測定値を、前記増幅器の温度の方向に補正する
ことを特徴とする請求項１又は２に記載の増幅器制御装置。
【発明の詳細な説明】
【技術分野】
【０００１】
本発明は、増幅器のバイアス電圧を制御する技術に関する。
【背景技術】
【０００２】
増幅器のバイアス電圧を制御する技術が、特許文献１〜３に開示されている。特許文献１では、送信電力に応じて、増幅器のバイアス電圧を制御する。特許文献２では、送信信号が増幅器に実質的に供給されていないとみなせる時期に、増幅器のアイドル電流を所定値に設定することにより、増幅器のバイアス電圧を制御する。特許文献３では、増幅器のバイアス情報をメモリすることにより、増幅器のバイアス電圧を制御する。
【先行技術文献】
【特許文献】
【０００３】
【特許文献１】特開２００２−１１８４７６号公報
【特許文献２】特開平０６−１７７６５８号公報
【特許文献３】特開２００７−０７４０３９号公報
【発明の概要】
【発明が解決しようとする課題】
【０００４】
増幅器を発熱から保護するためには、増幅器の温度の測定値に基づいて増幅器のバイアス電圧を制御することにより、増幅器の発熱を抑制する必要がある。増幅器の発熱を抑制することは、特許文献１、２では考慮されていないが、特許文献３では考慮されている。
【０００５】
ここで、増幅器の温度の測定値が、増幅器の温度より低い場合がある。例えば、複数の増幅器の温度に配置位置の相違による不均衡が生じており、増幅器の温度の測定値が、複数の増幅器のうち一の増幅器の温度より低く、かつ、複数の増幅器のうち一の増幅器の温度より他の増幅器の温度に近い場合である。或いは、増幅器出力側で過出力又は負荷変動が発生したため、増幅器の発熱量が所定の発熱量より大きくなったにも関わらず、増幅器の温度の測定値が増幅器の温度に追随しないことにより、増幅器の温度の測定値が、増幅器の温度より低い場合である。
【０００６】
以上の場合に、特許文献３では、増幅器の温度の測定値（より低温）に基づいて、増幅器のバイアス電圧（より高圧）を設定するのみであり、増幅器の温度（より高温）に基づいて、増幅器のバイアス電圧（より低圧）を設定するのではない。よって、特許文献３では、増幅器の発熱を効果的に抑制することができず、複数の増幅器の温度の不均衡や増幅器の温度の測定の遅延に効果的に対応することができない。
【０００７】
そこで、前記課題を解決するために、本発明は、増幅器の温度の測定値が増幅器の温度より低い場合であっても、増幅器の発熱を効果的に抑制することを目的とする。
【課題を解決するための手段】
【０００８】
上記目的を達成するために、増幅器の温度の測定値が増幅器の温度より低いとき、増幅器の温度の測定値を増幅器の温度の方向に補正し、補正した増幅器の温度の測定値に基づいて、増幅器のバイアス電圧を設定することとした。
【０００９】
具体的には、本発明は、増幅器の温度の測定値の情報を取得する増幅器温度情報取得部と、前記増幅器温度情報取得部が取得した情報における前記増幅器の温度の測定値が、前記増幅器の温度より低いとき、前記増幅器温度情報取得部が取得した情報における前記増幅器の温度の測定値を、前記増幅器の温度の方向に補正する増幅器温度補正部と、前記増幅器温度補正部が補正した前記増幅器の温度の測定値の情報に基づいて、前記増幅器のバイアス電圧を設定する増幅器バイアス電圧設定部と、を備えることを特徴とする増幅器制御装置である。
【００１０】
この構成によれば、増幅器の温度の測定値が増幅器の温度より低い場合であっても、増幅器の発熱を効果的に抑制することができる。
【００１１】
また、本発明は、前記増幅器温度情報取得部が取得した情報における前記増幅器の温度の測定値は、複数の前記増幅器のうち一の前記増幅器の温度より低く、かつ、複数の前記増幅器のうち一の前記増幅器の温度より他の前記増幅器の温度に近く、前記増幅器温度補正部は、前記増幅器温度情報取得部が取得した情報における一の前記増幅器の温度の測定値を、一の前記増幅器の温度の方向に補正することを特徴とする増幅器制御装置である。
【００１２】
この構成によれば、複数の増幅器の温度の不均衡に効果的に対応することができる。
【００１３】
また、本発明は、前記増幅器温度情報取得部が取得した情報における前記増幅器の温度の測定値は、前記増幅器の発熱量が所定の発熱量より大きいにも関わらず、前記増幅器の温度の測定値が前記増幅器の温度に追随しないため、前記増幅器の温度より低く、前記増幅器温度補正部は、前記増幅器の発熱量が前記所定の発熱量を超えた超過量に基づいて、前記増幅器温度情報取得部が取得した情報における前記増幅器の温度の測定値を、前記増幅器の温度の方向に補正することを特徴とする増幅器制御装置である。
【００１４】
この構成によれば、増幅器の温度の測定の遅延に効果的に対応することができる。
【発明の効果】
【００１５】
本発明は、増幅器の温度の測定値が増幅器の温度より低い場合であっても、増幅器の発熱を効果的に抑制することができる。
【図面の簡単な説明】
【００１６】
【図１】実施形態１の増幅器システムの構成を示す図である。
【図２】実施形態２の増幅器システムの構成を示す図である。
【図３】実施形態３の増幅器システムの構成を示す図である。
【発明を実施するための形態】
【００１７】
添付の図面を参照して本発明の実施形態を説明する。以下に説明する実施形態は本発明の実施の例であり、本発明は以下の実施形態に制限されるものではない。
【００１８】
（実施形態１）
実施形態１の増幅器システムの構成を図１に示す。実施形態１の増幅器システムは、増幅器制御装置１及び増幅器ユニット２から構成される。増幅器制御装置１は、増幅器温度情報取得部１１、増幅器温度補正部１２及び増幅器バイアス電圧設定部１３から構成される。増幅器ユニット２は、増幅器２１及び温度センサ２２から構成される。
【００１９】
増幅器２１は、トランジスタ等であり、送信信号等を増幅する。温度センサ２２は、サーミスタやダイオード等であり、増幅器２１の温度を測定する。なお、増幅器２１の温度とは、トランジスタ等のジャンクション及び発熱の影響が及ぶ範囲での温度である。
【００２０】
増幅器温度情報取得部１１は、増幅器２１の温度の測定値の情報を、温度センサ２２から取得する。ここで、温度センサ２２は増幅器２１から離れているため、増幅器２１の温度の測定値は増幅器２１の温度より低くなる。そこで、増幅器２１の温度の測定値が増幅器２１の温度より低くなったことを補償することができるように、増幅器２１の温度の測定値の情報を増幅器２１の発熱量に基づいて補正するのである。
【００２１】
増幅器温度補正部１２は、増幅器温度情報取得部１１が取得した情報における増幅器２１の温度の測定値が、増幅器２１の温度より低いとき、増幅器温度情報取得部１１が取得した情報における増幅器２１の温度の測定値を、増幅器２１の温度の方向に補正する。増幅器バイアス電圧設定部１３は、増幅器温度補正部１２が補正した増幅器２１の温度の測定値の情報に基づいて、増幅器２１のバイアス電圧を設定する。
【００２２】
増幅器２１の温度の測定値の補正幅は、増幅器２１の温度から増幅器２１の温度の測定値を減算した値と比較して、等しくてもよく、小さくてもよく、大きくてもよい。
【００２３】
実施形態１では、増幅器２１の温度により近い温度（より高温）に基づいて、増幅器２１のバイアス電圧（より低圧）を設定するのであって、増幅器２１の温度の測定値そのままの温度（より低温）に基づいて、増幅器２１のバイアス電圧（より高圧）を設定するのではない。よって、実施形態１では、増幅器２１の温度の測定値が増幅器２１の温度より低い場合であっても、増幅器２１の発熱を効果的に抑制することができる。
【００２４】
（実施形態２）
実施形態２の増幅器システムの構成を図２に示す。実施形態２の増幅器システムは、増幅器制御装置１及び増幅器ユニット２から構成される。増幅器制御装置１は、増幅器温度情報取得部１１、増幅器温度補正部１２、Ａ／Ｄ変換部１４、電圧／温度変換部１５、増幅器バイアス電圧初期値設定部１６、増幅器バイアス電圧補正係数算出部１７、乗算器１８−１、１８−２、１８−３、１８−４及びＤ／Ａ変換部１９から構成される。増幅器ユニット２は、４個の増幅器２１−１、２１−２、２１−３、２１−４及び１個の温度センサ２２から構成される。実施形態２の増幅器バイアス電圧初期値設定部１６、増幅器バイアス電圧補正係数算出部１７及び乗算器１８−１、１８−２、１８−３、１８−４は、すべてを合わせて、実施形態１の増幅器バイアス電圧設定部１３に相当する。
【００２５】
増幅器２１−１、２１−２、２１−３、２１−４は、トランジスタ等であり、送信信号等を増幅する。温度センサ２２は、サーミスタやダイオード等であり、増幅器２１−１、２１−２、２１−３、２１−４の温度を測定するところ、増幅器２１−１、２１−４の温度（より低温の〜Ｔ℃）を強く反映しているが、増幅器２１−２、２１−３の温度（より高温の（Ｔ＋ΔＴ）℃）を殆ど反映していない。つまり、複数の増幅器２１−１、２１−２、２１−３、２１−４の温度に配置位置の相違による不均衡が生じる。
【００２６】
増幅器温度情報取得部１１は、増幅器２１−１、２１−２、２１−３、２１−４の温度の測定値の情報を、センサ出力電圧の情報として温度センサ２２から取得する。Ａ／Ｄ変換部１４は、アナログ情報からデジタル情報へと、センサ出力電圧の情報を変換する。電圧／温度変換部１５は、センサ出力電圧の情報を増幅器温度の情報に変換する。
【００２７】
増幅器温度補正部１２は、増幅器温度情報取得部１１が取得した情報における増幅器２１−２、２１−３の温度の測定値を、増幅器２１−２、２１−３の温度の方向に補正する。具体的には、増幅器温度の補正幅の情報を取得する。そして、補正前の増幅器２１−２、２１−３の温度の測定値を取得し、増幅器温度の補正幅を加算し、補正後の増幅器２１−２、２１−３の温度の測定値を出力する。ここで、増幅器温度の補正幅は、増幅器２１−２、２１−３の温度から増幅器２１−２、２１−３の温度の測定値を減算した値（ΔＴ℃）と比較して、等しくてもよく、小さくてもよく、大きくてもよい。
【００２８】
増幅器バイアス電圧初期値設定部１６は、各増幅器２１−１、２１−２、２１−３、２１−４について、温度補償前のバイアス電圧を設定する。増幅器バイアス電圧補正係数算出部１７は、各増幅器２１−１、２１−２、２１−３、２１−４について、温度補償に必要な補正係数を算出する。各増幅器２１−１、２１−２、２１−３、２１−４の補正後の温度の測定値が高くなるほど、各増幅器２１−１、２１−２、２１−３、２１−４の温度補償に必要な補正係数は１の近傍で小さくなり、各増幅器２１−１、２１−２、２１−３、２１−４の発熱が効果的に抑制される。
【００２９】
乗算器１８−１、１８−２、１８−３、１８−４は、それぞれ増幅器２１−１、２１−２、２１−３、２１−４について、温度補償前のバイアス電圧及び温度補償に必要な補正係数を乗算し、温度補償後のバイアス電圧を算出する。Ｄ／Ａ変換部１９は、各増幅器２１−１、２１−２、２１−３、２１−４について、デジタル情報からアナログ情報へと、温度補償後のバイアス電圧の情報を変換する。
【００３０】
実施形態２では、増幅器２１−２、２１−３の温度により近い温度（より高温）に基づいて、増幅器２１−２、２１−３のバイアス電圧（より低圧）を設定するのであって、増幅器２１−２、２１−３の温度の測定値そのままの温度（より低温）に基づいて、増幅器２１−２、２１−３のバイアス電圧（より高圧）を設定するのではない。よって、実施形態２では、実施形態１で上述の効果に加えて、複数の増幅器２１−１、２１−２、２１−３、２１−４の温度の不均衡に効果的に対応することができる。
【００３１】
（実施形態３）
実施形態３の増幅器システムの構成を図３に示す。実施形態３の増幅器システムは、増幅器制御装置１及び増幅器ユニット２から構成される。増幅器制御装置１は、増幅器温度情報取得部１１、増幅器温度補正部１２、Ａ／Ｄ変換部１４、電圧／温度変換部１５、増幅器バイアス電圧初期値設定部１６、増幅器バイアス電圧補正係数算出部１７、乗算器１８及びＤ／Ａ変換部１９から構成される。増幅器ユニット２は、１個の増幅器２１及び１個の温度センサ２２から構成される。実施形態３の増幅器バイアス電圧初期値設定部１６、増幅器バイアス電圧補正係数算出部１７及び乗算器１８は、すべてを合わせて、実施形態１の増幅器バイアス電圧設定部１３に相当する。
【００３２】
増幅器２１は、トランジスタ等であり、送信信号等を増幅する。温度センサ２２は、サーミスタやダイオード等であり、増幅器２１の温度を測定するところ、増幅器出力側で過出力又は負荷変動が発生したため、増幅器２１の発熱量が所定の発熱量より大きくなったにも関わらず、増幅器２１の温度の測定値が増幅器２１の温度に追随しない。つまり、増幅器２１の温度の測定の遅延が生じる。
【００３３】
増幅器温度情報取得部１１は、増幅器２１の温度の測定値の情報を、センサ出力電圧の情報として温度センサ２２から取得する。Ａ／Ｄ変換部１４は、アナログ情報からデジタル情報へと、センサ出力電圧の情報を変換する。電圧／温度変換部１５は、センサ出力電圧の情報を増幅器温度の情報に変換する。
【００３４】
増幅器温度補正部１２は、増幅器２１の発熱量が所定の発熱量を超えた超過量に基づいて、増幅器温度情報取得部１１が取得した情報における増幅器２１の温度の測定値を、増幅器２１の温度の方向に補正する。具体的には、ドレイン電流の情報、ドレイン電圧の情報及び送信出力の情報を取得する。ここで、送信出力は、送信出力センサやＳＷＲ（Ｓｔａｎｄｉｎｇ  Ｗａｖｅ  Ｒａｔｉｏ）センサを利用して測定可能である。
【００３５】
一の方法として、ドレイン電流の測定値がドレイン電流の設計値又は定格値を超えたことにより、増幅器２１の温度が何℃上昇したかを推定する。他の方法として、ドレイン電流の測定値及びドレイン電圧の測定値を乗算した値（入力電力の測定値）から、送信出力の測定値を減算した値（発熱量の測定値）が、発熱量の設計値又は定格値を超えたことにより、増幅器２１の温度が何℃上昇したかを推定する。さらに、増幅器２１の出力に接続される負荷が変動した場合は、ドレイン電流の測定値及びドレイン電圧の測定値を乗算した値（入力電力の測定値）から、送信出力の測定値を減算した値（発熱量の測定値）に、ＳＷＲセンサから得られた情報に基づく補正係数を乗算することにより、増幅器２１の温度が何℃上昇したかを推定する。
【００３６】
次に、増幅器２１の温度の補正幅として、一の方法又は他の方法で推定した増幅器２１の温度の上昇幅と比較して、等しい温度幅、小さい温度幅又は大きな温度幅を設定することができる。次に、補正前の増幅器２１の温度の測定値を取得し、増幅器２１の温度の補正幅を加算し、補正後の増幅器２１の温度の測定値を出力する。
【００３７】
増幅器バイアス電圧初期値設定部１６は、温度補償前のバイアス電圧を設定する。増幅器バイアス電圧補正係数算出部１７は、温度補償に必要な補正係数を算出する。増幅器２１の補正後の温度の測定値が高くなるほど、増幅器２１の温度補償に必要な補正係数は１の近傍で小さくなり、増幅器２１の発熱が効果的に抑制される。
【００３８】
乗算器１８は、温度補償前のバイアス電圧及び温度補償に必要な補正係数を乗算し、温度補償後のバイアス電圧を算出する。Ｄ／Ａ変換部１９は、デジタル情報からアナログ情報へと、温度補償後のバイアス電圧の情報を変換する。
【００３９】
実施形態３では、増幅器２１の温度により近い温度（より高温）に基づいて、増幅器２１のバイアス電圧（より低圧）を設定するのであって、増幅器２１の温度の測定値そのままの温度（より低温）に基づいて、増幅器２１のバイアス電圧（より高圧）を設定するのではない。よって、実施形態３では、実施形態１で上述の効果に加えて、増幅器２１の温度の測定の遅延に効果的に対応することができる。
【００４０】
（変形例）
実施形態３において、実施形態２と同様に、増幅器２１の個数を単数のみならず複数ともできる。実施形態２及び実施形態３を組み合わせることにより、実施形態１で上述の効果に加えて、複数の増幅器２１の温度の不均衡に効果的に対応することができて、増幅器２１の温度の測定の遅延に効果的に対応することができる。
【産業上の利用可能性】
【００４１】
本発明に係る増幅器制御装置は、無線通信装置の送信用の増幅器等について、増幅器の発熱を効果的に抑制しながら、増幅器のバイアス電圧の温度補償を行うことができる。
【符号の説明】
【００４２】
１：増幅器制御装置
２：増幅器ユニット
１１：増幅器温度情報取得部
１２：増幅器温度補正部
１３：増幅器バイアス電圧設定部
１４：Ａ／Ｄ変換部
１５：電圧／温度変換部
１６：増幅器バイアス電圧初期値設定部
１７：増幅器バイアス電圧補正係数算出部
１８、１８−１、１８−２、１８−３、１８−４：乗算器
１９：Ｄ／Ａ変換部
２１、２１−１、２１−２、２１−３、２１−４：増幅器
２２：温度センサ
【図１】
2014017624.tif 000003
【図２】
2014017624.tif 000004
【図３】
2014017624.tif 000005